(57)【要約】【課題】  外気温を考慮した制御を安価に実現し、既存ボイラに適用することもできるダンパ回転位置調整装置の提供。【解決手段】  ダンパ調整手段は、バーナ１への給気量を調整するダンパ７の回転軸８に連結される駆動軸１７と、この駆動軸１７を回転させると共にその回転停止位置を任意に調整可能なモータ１９を有する。このダンパ調整手段は、制御手段２８により、回転軸８または駆動軸１７が所望の回転停止位置で停止するようモータ１９を制御される。また外気温センサ２６を備え、その出力に基づいて回転停止位置を補正する。既設ダンパ７の既設回転軸８に、ダンパ調整手段の駆動軸１７を連結可能とすることで、既設の燃焼装置に適用可能である。【選択図】      図４
2005098525.tif 000002
【特許請求の範囲】
【請求項１】
バーナへの給気量を調整するダンパの回転軸に連結される駆動軸、およびこの駆動軸を回転させると共にその回転停止位置を任意に調整可能なモータを有するダンパ調整手段と、
駆動軸が指定の回転停止位置で停止するようモータを制御する制御手段と
を備えることを特徴とするダンパ回転位置調整装置。
【請求項２】
既設の燃焼装置に適用され、
既設ダンパの既設回転軸に、ダンパ調整手段の駆動軸が連結されて設けられる
ことを特徴とする請求項１に記載のダンパ回転位置調整装置。
【請求項３】
外気温センサを更に備え、
この外気温センサの出力に基づいて回転停止位置が補正される
ことを特徴とする請求項１または請求項２に記載のダンパ回転位置調整装置。
【請求項４】
前記ダンパは、バーナへの給気路を全閉可能に設けられており、
前記制御手段は、燃焼停止時に給気路を全閉するようダンパ調整手段を制御する
ことを特徴とする請求項１から請求項３までのいずれかに記載のダンパ回転位置調整装置。
【請求項５】
ダンパの回転範囲を規制する手段を更に備える
ことを特徴とする請求項１から請求項４までのいずれかに記載のダンパ回転位置調整装置。
【請求項６】
バーナへの給気量を調整するダンパの回転軸の回転を規制してその停止位置を規定する位置決め手段と、
この位置決め手段によるダンパの回転停止位置を変更させるよう位置決め手段を調整する駆動軸を回転させると共に、駆動軸の回転停止位置を任意に調整可能なモータを有するダンパ調整手段と、
駆動軸が指定の回転停止位置で停止するようモータを制御する制御手段と
を備えることを特徴とするダンパ回転位置調整装置。
【請求項７】
位置決め手段を備える既設燃焼装置に適用され、
既設の位置決め手段を調整可能に、ダンパ調整手段が設けられる
ことを特徴とする請求項６に記載のダンパ回転位置調整装置。
【請求項８】
外気温センサを更に備え、
この外気温センサの出力に基づいて回転停止位置が補正される
ことを特徴とする請求項６または請求項７に記載のダンパ回転位置調整装置。
【請求項９】
請求項１から請求項８までのいずれかに記載のダンパ回転位置調整装置が設けられたことを特徴とする燃焼装置。
【発明の詳細な説明】
【技術分野】
【０００１】
本発明は、ボイラなどのダンパ回転位置調整装置および燃焼装置に関し、特に、そのバーナへ供給する燃焼用空気流量を調整するために、給気路に設けられたダンパの開度を調整するダンパ回転位置調整装置および燃焼装置に関するものである。
【背景技術】
【０００２】
ボイラのバーナへ空気を供給する給気路には、給気量を調整するダンパが設けられている。従来、下記特許文献１に示されるように、高燃焼風量位置と低燃焼風量位置の二位置の内、いずれかを択一的にとるダンパが知られている。
【特許文献１】特開平８−３０３７５９号公報
【発明の開示】
【発明が解決しようとする課題】
【０００３】
上記特許文献１に記載の発明のように、ダンパの停止位置を二者択一として制御するだけでは、外気温の変化に基づいてダンパの位置を微調整できない上、燃焼状態や燃費の改善にも限界がある。しかも、既存ダンパへの後付けが考慮されておらず、既存ボイラに適用できるものでもなかった。
【課題を解決するための手段】
【０００４】
本発明のダンパ回転位置調整装置は、（ａ）バーナへの給気量を調整するダンパの回転軸に連結される駆動軸、およびこの駆動軸を回転させると共にその回転停止位置を任意に調整可能なモータを有するダンパ調整手段と、（ｂ）駆動軸が指定の回転停止位置で停止するようモータを制御する制御手段とを備えることを特徴とする。好ましくは、既設の燃焼装置に適用され、既設ダンパの既設回転軸に、ダンパ調整手段の駆動軸が連結されて設けられることを特徴とするダンパ回転位置調整装置とする。
【０００５】
また、好ましくは上記構成に加えて、外気温センサを更に備え、この外気温センサの出力に基づいて回転停止位置が補正されることを特徴とするダンパ回転位置調整装置である。
【０００６】
或いは上記いずれかの構成に加えて、前記ダンパは、バーナへの給気路を全閉可能に設けられており、前記制御手段は、燃焼停止時に給気路を全閉するようダンパ調整手段を制御することを特徴とするダンパ回転位置調整装置である。さらに好ましくは上記構成に加えて、ダンパの回転範囲を規制する手段を更に備えることを特徴とするダンパ回転位置調整装置である。
【０００７】
また、本発明のダンパ回転位置調整装置は、（ａ）バーナへの給気量を調整するダンパの回転軸の回転を規制してその停止位置を規定する位置決め手段と、（ｂ）この位置決め手段によるダンパの回転停止位置を変更させるよう位置決め手段を調整する駆動軸を回転させると共に、駆動軸の回転停止位置を任意に調整可能なモータを有するダンパ調整手段と、（ｃ）駆動軸が指定の回転停止位置で停止するようモータを制御する制御手段とを備えることを特徴とする。好ましくは、位置決め手段を備える既設燃焼装置に適用され、既設の位置決め手段を調整可能に、ダンパ調整手段が設けられることを特徴とするダンパ回転位置調整装置とする。
【０００８】
また、好ましくは上記構成に加えて、外気温センサを更に備え、この外気温センサの出力に基づいて回転停止位置が補正されることを特徴とするダンパ回転位置調整装置である。
【０００９】
そして、本発明は、上記いずれかに記載のダンパ回転位置調整装置が設けられたことを特徴とする燃焼装置である。
【発明の効果】
【００１０】
本発明のダンパ回転位置調整装置によれば、ダンパの回転停止位置を任意に調整可能または微調整することができる。そして、ダンパの回転軸またはダンパの位置決め手段をダンパ調整手段の駆動軸により調整するようにしているので、既存ダンパへの後付けも容易で、既存ボイラに適用することもできる。さらに、温度センサを利用すれば、外気温を考慮した制御が可能で、気温変化に対してもメンテナンスを要することなく、たとえば空気比一定の燃焼が可能である。よって、良好な燃焼状態を常に維持できる。
【発明を実施するための最良の形態】
【００１１】
本発明のダンパ回転位置調整装置の一実施形態について説明する。
本発明のダンパ回転位置調整装置は、小型貫流ボイラなどの水管ボイラ、給湯器、吸収式冷凍機の再熱器などの燃焼装置（熱機器）に適用される。この燃焼装置は、バーナとこのバーナの燃焼によって生ずる燃焼反応中ガスおよび燃焼完結ガスによって加熱される吸熱体群を有する。また、燃焼装置には、バーナへ燃焼用空気を供給する給気路に、その供給空気流量を調整可能にダンパが設けられている。このダンパは、給気路に設けられた弁であり、板状のダンパ板が回転軸まわりに回転可能とされることで、バーナ側へ供給される空気流量を調整する。
【００１２】
ダンパ回転位置調整装置は、ダンパの回転軸を微調整可能に可動する装置である。ダンパ回転位置調整装置は、既設燃焼装置の既設ダンパの既設回転軸に後付け可能な構成とできる。ダンパ回転位置調整装置は、ダンパの回転軸に連結される駆動軸を備え、回転停止位置を任意に調整可能なモータにて前記駆動軸を回転させる。これにより、回転軸ひいてはダンパは、その回転停止位置を微調整可能となる。なお、ダンパの回転範囲を規制する手段を設けておけば、万一、モータが異常回転した場合でも、ダンパを所定位置にとどめることができる。
【００１３】
このようなダンパ調整手段は、制御手段にて制御される。つまり、制御手段は、駆動軸が指定の回転停止位置で停止するようモータを制御する。外気温センサを備えれば、その出力に基づいて回転停止位置を微調整することができる。よって、例えばバーナに供給される空気の空気比を調整して、外気温に左右されず、空気比一定の運転を続けることができる。ここで、空気比とは、実際燃焼空気量／理論燃焼空気量をいう。つまり、「燃焼に際して実際に必要な空気量」／「燃焼に際して理論上必要な空気量」を「空気比」という。
【００１４】
さらに、燃焼停止時には、ダンパ調整手段を制御して給気路を全閉することもでき、缶体（炉）から給気路側への空気やガスの逆流を防止できる。よって、ダクトやそれに接続された各種機器への熱影響を最小にできると共に、ドラフトによる排熱損失を防ぐこともできる。特に、パイロットバーナによる点火形式に有効であり、パイロット時の送風量等の調整が可能である。
【００１５】
ところで、バーナへの給気量を調整するダンパの回転軸の回転を規制して、その停止位置を規定する位置決め手段を備えるボイラがある。このボイラの場合、回転軸がいずれの方向に回転するかにより、ダンパは、高燃焼風量位置と低燃焼風量位置の二つの位置を択一的にとれる。本発明のダンパ回転位置調整装置は、この種のボイラに対しても適用可能である。しかも、既設ダンパの既設位置決め手段に設けることで、既設燃焼装置へ後付けすることもできる。
【００１６】
この種のボイラに対するダンパ回転位置調整装置は、位置決め手段によるダンパの回転停止位置を変更させるダンパ調整手段を備える。このダンパ調整手段は、位置決め手段を調整する駆動軸を回転させると共に、駆動軸の回転停止位置を任意に調整可能なモータを有する。
【００１７】
このダンパ回転位置調整装置も、ダンパの回転停止位置を微調整することができる。特に、高燃焼風量位置と低燃焼風量位置のそれぞれの回転停止位置を微調整することができる。しかも、外気温センサを備えれば、その出力に基づいてダンパの回転停止位置を微調整することができる。よって、例えば、外気温に対して空気比一定の制御をすることもできる。
【００１８】
ところで、ダンパ回転位置調整装置には、ダンパの位置を外部から視認可能に、ダンパの回転に連動して可動するダンパ位置表示手段を設けるのが好ましい。このダンパ位置表示手段を設けることで、燃焼装置の点検を容易に行うことができる。
【実施例１】
【００１９】
以下、本発明の具体的実施例を図面に基づいて詳細に説明する。本発明のダンパ回転位置調整装置は、ボイラだけでなく、吸収式冷凍機の再熱器などにも適用可能であるが、ここでは水管ボイラの一種である貫流式の蒸気ボイラに適用した例について説明する。
【００２０】
図１は、本発明のダンパ回転位置調整装置の実施例１が適用されたボイラを示す概略縦断面図である。また、図２は、図１のII−II断面図である。
【００２１】
本実施例のボイラは、バーナ１と多数の伝熱管２，２…が配置された缶体３を備える。バーナ１は、缶体３の一端部に設けられ、本実施例では平面状の燃焼面（予混合気噴出面）を有する完全予混合式のものが採用されている。缶体３には、バーナ１側の一端部に、送風機４からの燃焼用空気をバーナ１へ送る給気路５が接続され、バーナ１と反対側の他端部に、缶体３からの排ガスを排出する排ガス路（煙突）６が設けられる。給気路５には、送風機４の下流側に、バーナ１側へ送り出す空気量を調整するダンパ７が設けられている。このダンパ７は、給気路５の延出方向と直角方向に配置された回転軸８まわりに、板状のダンパ板９が回転可能に保持されている。給気路５を構成する管の内側に、ダンパ板９が回転可能に保持されることで、その回転角度を調整して、バーナ１側へ送り出す空気量を調整することができる。
【００２２】
給気路５には更に、ダンパ７の下流側に、燃料ガスを給気路５内に噴出するガス燃料供給管１０が設けられている。このガス燃料供給管１０を介して給気路５内に燃焼ガスを噴出することで、バーナ１側へ送る空気に燃料ガスを混合することができる。このガス燃料供給管１０には、燃料流量調整バルブ１１が設けられており、噴出させる燃料流量を調整することができる。
【００２３】
缶体３内に設けられる各伝熱管２，２…は、上部管寄せ１２と下部管寄せ１３との間に配置される。また、図２に示すように、缶体３の両側壁に沿って配置された伝熱管群（外側伝熱管２ａ，２ａ…）は、連結部材１４にて互いに連結されており、水管壁１５，１５を形成している。この一対の水管壁１５，１５と上部管寄せ１２および下管管寄せ１３との間で、バーナ１の燃焼によって生ずるガスは排ガス路６へ向けて直線状に流通するよう導かれる。
【００２４】
給気路５のダンパ７には、本発明のダンパ回転位置調整装置が設けられる。本実施例のダンパ回転位置調整装置は、給気路５を構成する管壁の外面に設置され、ダンパ７の回転軸８を操作することで、ダンパ板９による給気路５の開度を変えて燃焼用空気の流量を調整する。
【００２５】
図３から図５は、本発明のダンパ回転位置調整装置の実施例１を示す図であり、図３は斜視図、図４は断面図であり制御状態も示しており、図５は原点検出手段を示す断面図である。
【００２６】
本実施例のダンパ回転位置調整装置は、ダンパ７の回転軸８に着脱自在に連結される駆動軸１７を備え、この駆動軸１７は、減速機１８を介してモータ１９にて回転可能である。駆動軸１７は、ダンパ７の回転軸８と、カップリング２０を介して連結されることで、同一軸心上で一体回転可能に構成されている。
【００２７】
モータ１９としては、回転停止位置を任意に調整可能なモータが使用される。本実施例ではパルスモータ（ステッピングモータ）が使用される。なお、位置制御が可能なその他のサーボモータやシンクロナスモータを使用することもできる。
【００２８】
ダンパ回転位置調整装置は、ダンパ７の開度を正確に制御するために、駆動軸１７の回転方向の原点を認識する原点検出手段を備える。本実施例の原点検出手段は、駆動軸１７と共に回転するセンサプレート２１と、ダンパ回転位置調整装置のフレーム２２に固定されるセンサ本体２３とを備える。本実施例のセンサ本体２３は、フォトカプラからなり、その発光器２３ａと受光器２３ｂの間の溝にセンサプレート２１が介在された状態に取り付けられる。
【００２９】
センサプレート２１には、図５に示すように、周方向の一部に原点検出用の細い切欠溝２１ａが、半径方向に切り欠かれて形成されている。従って、センサ本体２３の発光器２３ａと受光器２３ｂの間の溝に、駆動軸１７などに固定のセンサプレート２１を介在させて回転可能とすれば、センサ本体２３の溝と対応した位置に、センサプレート２１の切欠溝２１ａが配置されるか否かにより、駆動軸１７ひいてはダンパ７（ダンパ板９）の位置を把握できることになる。本実施例では、センサプレート２１の切欠溝２１ａがセンサ本体２３の溝に配置された状態で、ダンパ７が給気路５を全閉状態とするよう位置決めされている。
【００３０】
本実施例のダンパ回転位置調整装置は、ダンパ７の回転軸８への取付側となる一端部に開口したフレーム２２を備え、このフレーム２２の他端部には減速機１８を介してモータ１９が固定されている。この減速機１８から前記開口部へ向けて駆動軸１７が延出して配置される。また、フレーム２２の内側には、前記センサ本体２３が固定される。
【００３１】
このような構成のダンパ回転位置調整装置は、給気路５を構成する管壁に設けられる。その際、その管壁を貫通して外部へ突出したダンパ回転軸８に、駆動軸１７が連結される。なお、回転軸８の突出部８ａは、軸受２４を介してフレーム２２に回転自在に保持される。このような構成であるから、本実施例のダンパ回転位置調整装置は、既存のボイラにも容易に後付けできる。
【００３２】
ところで、ボイラを点検保守する人は、ダンパ７の回転位置を容易に視認できることが望ましい。そこで、本実施例のダンパ回転位置調整装置には、ダンパ７の回転に連動して可動するダンパ位置表示手段が設けられている。本実施例のダンパ位置表示手段は、棒状の表示指針２５が、回転軸８に、その半径方向外側へ延出して設けられている。
【００３３】
図示例の表示指針２５は、一端部をカップリング２０にねじ込まれて固定され、他端部はフレーム２２を貫通して外方へ延出している。つまり、フレーム２２には、周方向に沿ってスリット２２ａが形成されており、このスリット２２ａに沿って移動可能に表示指針２５が設けられる。従って、その移動具合で、回転軸８の状態、つまりダンパ７の回転位置を知ることができる。なお、スリット２２ａに沿ってフレーム２２に、ダンパ７の開度に対応した目盛２２ｂなどを付しておけば、ダンパ７の開度を容易に把握することができる。
【００３４】
また、本実施例のダンパ回転位置調整装置には、温度センサからなる外気温センサ２６が設けられている。図示例では、フレーム２２の内側へ設けられているが、フレーム２２に適宜の開口２２ｃを形成しておくことで、外気温を把握可能である。なお、外気温センサ２６は、外気温を検出できればよく、その取付位置は特に問わないことは言うまでもない。ダンパ回転位置調整装置の本体部（フレーム）から離れて設置することもできる。
【００３５】
さらに、本実施例では、万一、モータ１９が必要以上に異常回転した場合の不都合を解消するために、図５に示すように、フレーム２２にはセンサ本体２３と反対側にストッパ２７を設け、そのストッパ２７をセンサプレート２１に形成した大きな切欠き２１ｂに位置させている。これにより、切欠き２１ｂの周方向端部にストッパ２７が当接されることで、駆動軸１７は、切欠き２１ｂによって規定される最大角以上回転することがない。
【００３６】
本実施例の蒸気ボイラの概略動作は、以下のとおりである。
外気吸込路１６から供給される燃焼用空気（外気）は、ガス燃料供給管１０から供給される燃料ガスと給気路５内において予混合され、この予混合気はバーナ１から缶体３内へ向けて噴出される。その際、予混合気は、バーナ１側で着火手段により着火され燃焼する。この燃焼に伴い生ずる燃焼反応中ガスは、上流側の伝熱管群と交差して冷却された後、燃焼完結ガスとなり下流側の伝熱管群と熱交換して吸熱されて排ガスとなる。この排ガスは、排ガス路６から大気中へ排出される。
【００３７】
各伝熱管２内の水は、燃焼反応中ガスおよび燃焼完結ガスとの熱交換により加熱され、蒸気化される。この蒸気は、上部管寄せ１２に接続される蒸気取出手段（不図示）から蒸気使用設備（不図示）へ供給される。
【００３８】
本実施例のボイラは、高燃焼と低燃焼とを切り替えて運転できる。そのために、ダンパ７は、高燃焼風量位置と低燃焼風量位置のいずれかを選択して位置決め可能である。しかも、ダンパ回転位置調整装置Ａを備えることで、外気温センサ２６により検出された外気温の変化に応じて、ダンパ７の位置を微調整可能である。これにより、外気温の変化によらず、適切な燃焼状態および燃費で、ボイラを運転することができる。
【００３９】
具体的には図４に示すように、ダンパ回転位置調整装置Ａのモータ１９と、外気温センサ２６とは、コントローラ（制御手段）２８に接続されている。このコントローラ２８には、高燃焼か低燃焼かの選択信号が入力され、それに基づきモータ１９を制御して、ダンパ７を所望の回転停止位置へ配置する。モータ１９がパルスモータの場合には、原点検出手段（２１，２３）により検出した原点から、所望の回転停止位置まで駆動軸１７が回転するように、各燃焼に対応した所定数のパルスを出力する。例えば、高燃焼風量位置までには５００パルス、低燃焼風量位置までには２００パルスを出力して、ダンパ７を回転させる。なお、出力パルス数は、使用モータ１９により異なることは勿論である。
【００４０】
さらに、コントローラ２８は、外気温センサ２６からの出力に基づいて、高燃焼および低燃焼の各回転停止位置を補正する。つまり、外気温の高低を考慮して、前記パルス数を増減するなどして、ダンパ７の回転停止位置を微調整する。
【００４１】
このようなコントローラ２８による制御を利用して、本実施例のダンパ回転位置調整装置Ａにより、たとえば空気比を一定に制御してボイラを運転することができる。具体的には、コントローラ２８は、外気温が変化してもバーナ１の空気比がほぼ一定の値となるように、モータ１９の回転を制御するプログラムを記憶している。
【００４２】
また、コントローラ２８は、ボイラの燃焼停止時には、ダンパ７を駆動して、給気路５を全閉状態とする。これにより、炉内から給気路への熱風の逆流を防止して、熱影響を最小にすることができる。また、このことは、排熱損失の抑制にもつながる。
【００４３】
以上の説明は、本実施例のダンパ回転位置調整装置Ａがボイラの出荷前に既に装備されている場合の説明であるが、同ダンパ回転位置調整装置Ａは、既設のボイラに簡単に装備できるように以下のように工夫されている。
【００４４】
今既設のボイラが、高燃焼風量と低燃焼風量とのいずれかを選択して位置決め可能に構成されているとする。既設ボイラの構成は、図４において、ダンパ回転位置調整装置Ａを取り外し、代わりにモータユニット（図示省略）が装着されている。そして、高燃焼時の回転停止位置と低燃焼時の回転位置とは、後述の図６に示す位置決め手段Ｂにより規定される。
【００４５】
そして、ダンパ回転位置調整装置Ａを既設のボイラに装着するには、前記モータユニットおよび位置決め手段Ｂを外し、ダンパ回転位置調整装置Ａを装着する。その際、前記モータユニットおよびダンパ回転位置調整装置Ａとは、給気路５の壁面に取り付ける固定螺子（図示省略）の位置を同じに構成している。
【００４６】
前記の様な構成としているので、モータユニット等を外し、ダンパ回転位置調整装置Ａを装着することで、簡単に外気温度が変化しても空気比を一定に制御してボイラを運転したり、ダンパ７を全閉位置に制御したりすることができる。
【実施例２】
【００４７】
次に、本発明のダンパ回転位置調整装置の実施例２について説明する。
図６は、本発明のダンパ回転位置調整装置Ｃの実施例２を示す説明図である。本実施例の構成も、基本的には実施例１と同様であるので、以下では両者の異なる点を中心に説明する。
【００４８】
本実施例では、ダンパ７（図６では不図示）は、回転軸８にモータ（不図示）が接続されており、そのモータにて回転駆動される。但し、ダンパ７は、位置決め手段Ｂにて回転停止位置が規制される。この位置決め手段Ｂは、給気路５の外側において、回転軸８に固定された回転位置規制板２９と、これに当接されることで回転軸８のそれ以上の回転を規制する高燃焼用の第一調整ボルト３０および低燃焼用の第二調整ボルト３１と、これらボルト３０，３１が進退可能にねじ込まれた基板３２とから構成される。
【００４９】
図示例の回転位置規制板２９は、ホームベース形の五角形状に形成されており、その幅方向中央部に回転軸８が、板面に対し垂直に設けられる。そして、その二つの傾斜面２９ａ，２９ｂの内、一方の傾斜面２９ａは、第一調整ボルト３０の先端部３０ａに当接可能とされ、他方の傾斜面２９ｂは、第二調整ボルト３１の先端部３１ａに当接可能とされる。
【００５０】
これにより、ダンパ７の回転軸８は、回転位置規制板２９のいずれかの傾斜面２９ａ，２９ｂがそれに対応した一方の調整ボルト（３０又は３１）に当接するまでしか回転できず、回転範囲と回転停止位置とが規定される。そして、回転位置規制板２９は、その一方の傾斜面２９ａが第一調整ボルト３０の先端部３０ａに当接されるか、或いは他方の傾斜面２９ｂが第二調整ボルト３１の先端部３１ａに当接されるか、といういずれの回転停止位置で停止するかによって、高燃焼か低燃焼かを決定される。しかも、各調整ボルト３０，３１は、基板３２に対して進退可能にねじ込まれているので、そのねじ込み位置を調整するよう各調整ボルト３０，３１を進退させることで、ダンパ７の回転停止位置を微調整することができる。
【００５１】
各調整ボルト３０，３１の進退操作は、ダンパ調整手段にてなされる。第一調整ボルト３０のダンパ調整手段は、第一調整ボルト３０に連結可能な第一連結部材３３が、駆動軸（不図示）を介してモータ３４により回転駆動可能とされている。本実施例の第一連結部材３３は、第一調整ボルト３０の六角形状の頭部３０ｂに着脱可能にはめ込まれる六角形状の穴３３ａを有した部材である。また、モータ３４は、実施例１と同様に、パルスモータが使用される。なお、第一連結部材３３の正確な回転位置情報を得るために、ダンパ調整手段には回転位置検出手段３５が備えられている。この構成としては、実施例１の原点検出手段と同様の構成を採用できる。
【００５２】
一方、第二調整ボルト３１のダンパ調整手段も、第一調整ボルト用のものと同様の構成である。すなわち、第二調整ボルト３１の頭部３１ｂに連結可能な穴３６ａを有する第二連結部材３６が、駆動軸（不図示）を介してモータ３７により回転駆動可能とされると共に、回転位置検出手段３８を備えている。
【００５３】
なお、第一調整ボルト３０および第二調整ボルト３１は、途中に連結用コイルバネを介在させた構成のものとすることもできる。連結用コイルバネを介在させることにより、各調整ボルト３０，３１が屈曲可能となるので、連結部材３３，３６との連結が容易となる。
【００５４】
本実施例のダンパ回転位置調整装置Ｃの場合も、実施例１と同様に、外気温センサからの外気温を考慮して、ダンパ７の回転停止位置を微調整可能である。また、このような制御を利用して、空気比を一定にしてボイラを運転することもできる。
【００５５】
この実施例２のダンパ回転位置調整装置Ｃは、実施例１のダンパ回転位置調整装置Ａと同様に図６に示す構成要素を一体的にまとめユニット化し、既設ボイラへの装着が簡単に行われるように構成されている。既設ボイラは、ダンパ回転位置調整装置Ｃを外した状態であり、第一調整ボルト３０および第二調整ボルト３１を手動にて調整するように構成されている。
【００５６】
なお、本発明のダンパ回転位置調整装置は、上記各実施例の構成に限らず適宜変更可能である。
前記のように、ダンパ回転位置調整装置は、既設ボイラの既設ダンパの既設回転軸に後付け可能な構成とすることができる。その場合には、既設ボイラを気温変化に左右されないメンテナンスフリーのボイラとすることができる。逆に、ボイラに最初からダンパ回転位置調整装置を取り付ける場合には、その駆動軸１７はダンパの回転軸８と共通化することができる。
【図面の簡単な説明】
【００５７】
【図１】本発明のダンパ回転位置調整装置の実施例１が適用されたボイラを示す概略縦断面図である。
【図２】図１のII−II断面図である。
【図３】本発明のダンパ回転位置調整装置の実施例１を示す斜視図である。
【図４】図３のダンパ回転位置調整装置の断面図であり、制御状態も示している。
【図５】図３のダンパ回転位置調整装置の原点検出手段を示す断面図である。
【図６】本発明のダンパ回転位置調整装置の実施例２を示す概略説明図である。
【符号の説明】
【００５８】
Ａ  ダンパ回転位置調整装置
Ｂ  位置決め手段
Ｃ  ダンパ回転位置調整装置
１  バーナ
５  給気路
７  ダンパ
８  回転軸
１７  駆動軸
１９  モータ
２６  外気温センサ
２７  ストッパ
２８  コントローラ（制御手段）
２９〜３２  位置決め手段
３３〜３８  ダンパ調整手段
３４  モータ
３７  モータ
【図１】
2005098525.tif 000003
【図２】
2005098525.tif 000004
【図３】
2005098525.tif 000005
【図４】
2005098525.tif 000006
【図５】
2005098525.tif 000007
【図６】
2005098525.tif 000008